(57)【要約】【課題】撮像装置によって撮影されデジタル現像処理が未処理の生の画像データをプリントする際に、画像処理項目のパラメータを指定しやすくする。【解決手段】生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像４１を生成する。これらのサンプル画像４１を１画面内に配列してインデックス画像を作成し、これをプリントしたパラメータインデックスプリント１６を作成する。複数のサンプル画像４１の中から所望の仕上がりのコマを選択することにより、パラメータが指定される。【選択図】図２
2007096904.tif 000002
【特許請求の範囲】
【請求項１】
画像データのプリント注文を受け付けるプリント注文受付装置において、
撮像装置によって撮影されデジタル現像処理を施さずに保存された生の画像データを取り込む画像取り込み手段と、
取り込んだ生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成するとともに、それら複数のサンプル画像を１画面内に配列してインデックス画像を作成する画像処理手段とを備えたことを特徴とするプリント注文受付装置。
【請求項２】
前記画像処理項目には、露出調整、ホワイトバランス調整及び色味調整のうちの少なくとも２つが含まれることを特徴とする請求項１記載のプリント注文受付装置。
【請求項３】
前記複数のサンプル画像は、縦横のマトリックスで配列されており、縦軸及び横軸の一方で前記露出調整のパラメータを変化させ、他方で前記ホワイトバランスのパラメータを変化させたことを特徴とする請求項１又は２記載のプリント注文受付装置。
【請求項４】
前記インデックス画像には、前記各サンプル画像毎に、前記処理条件を表す情報が表示されることを特徴とする請求項１〜３いずれか記載のプリント注文受付装置。
【請求項５】
前記インデックス画像を表示するディスプレイを備えていることを特徴とする請求項１〜４いずれか記載のプリント注文受付装置。
【請求項６】
前記インデックス画像を記録紙にプリントするインデックス用プリンタを備えていることを特徴とする請求項１〜５いずれか記載のプリント注文受付装置。
【請求項７】
再プリント注文に備えて、前記複数のサンプル画像を保存するデータストレージデバイスを設けたことを特徴とする１〜６いずれか記載のプリント注文受付装置。
【請求項８】
前記画像処理手段は、前記画像処理を実行する前に、取り込まれた前記生の画像データのファイルフォーマットを所定のファイルフォーマットに変換するフォーマット変換部を備えていることを特徴とする請求項１〜７いずれか記載のプリント注文受付装置。
【請求項９】
画像データのプリント注文を受け付けるプリント注文受付方法において、
撮像装置によって撮影されデジタル現像処理を施さずに保存された生の画像データを取り込むデータ取り込みステップと、
取り込まれた前記生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成し、それら複数のサンプル画像を１画面内に配列してインデックス画像を作成するインデックス画像作成ステップと、
前記複数のサンプル画像の中から、顧客に所望のサンプル画像を選択させることにより、選択されたサンプル画像に対応するパラメータの指定を受け付けるパラメータ受付ステップとを含むことを特徴とするプリント注文受付方法。
【請求項１０】
複数の画像を１画面内に配列したインデックス画像を作成するインデックス画像作成装置において、
撮像装置によって撮影されデジタル現像処理を施さずに保存された生の画像データを取り込む画像取り込み手段と、
取り込んだ生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成するとともに、それら複数のサンプル画像を１画面内に配列してインデックス画像を作成する画像処理手段とを備えたことを特徴とするインデックス画像作成装置。
【請求項１１】
複数の画像を１画面内に配列したインデックス画像を作成するインデックス画像作成方法において、
撮像装置によって撮影されデジタル現像処理を施さずに保存された生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成し、それら複数のサンプル画像を１画面内に配列してインデックス画像を作成することを特徴とするインデックス画像作成方法。
【発明の詳細な説明】
【技術分野】
【０００１】
本発明は、画像データのプリント注文を受け付けるプリント注文受付装置及び方法並びに、前記プリント注文の際に画像処理のパラメータを指定するためのインデックス画像を作成するインデックス画像作成装置及び方法に関するものである。
【背景技術】
【０００２】
デジタルスチルカメラなどの撮像装置で撮影した画像データは、ＣＣＤイメージセンサやＣＭＯＳイメージセンサなどの撮像素子から出力されたアナログの撮像信号をデジタルデータに変換して記憶メディアに保存される。この画像データの記憶メディアへの保存形式としては、撮像信号に対して画像処理を施すとともにＪＰＥＧ形式でデータ圧縮処理を施して保存する形式（例えば、ＥＸＩＦ形式）が標準的であるが、撮像信号に対して画像処理を施さずに生の画像データとして保存する形式（以下、ＲＡＷ形式という）が知られており、撮影した画像データをこのＲＡＷ形式で保存することができるデジタルスチルカメラも普及してきている（例えば、特許文献１参照）。
【０００３】
撮像素子は明度しか感知できないため、撮像素子にＲ，Ｇ，Ｂのフィルタをかけることにより、撮像信号が、Ｒ，Ｇ，Ｂの３色の色情報として取り出される。これらＲ，Ｇ，Ｂの各色の色情報は、生の画像データ（以下、ＲＡＷデータという）と呼ばれる。デジタルスチルカメラには、このＲＡＷデータに対して、色変換処理、ホワイトバランス処理、露出処理など各種の画像処理を施して現像する、いわゆるデジタル現像処理を実行する画像処理プロセッサが内蔵されている。ＥＸＩＦ形式では、ＲＡＷデータに対してこうしたデジタル現像処理が実行されてデジタル現像済みの画像データが保存され、他方、ＲＡＷ形式では、ＲＡＷデータのまま画像データが保存される。
【０００４】
デジタルスチルカメラに内蔵される画像処理プロセッサには、上記各種の画像処理項目の処理条件を決めるパラメータが予め設定されている。こうしたパラメータは、画像の仕上がりを左右するものであり、画像処理プロセッサによるデジタル現像処理を施すと、現像した画像の仕上がりがある程度方向付けられてしまい、いったんデジタル現像処理を施した画像データに対して画像補正処理を行ってもその仕上がりを大きく変更することが難しい。カメラユーザーの中には、デジタルスチルカメラ固有のデジタル現像処理によらず、自分好みに画像を仕上げたいというユーザーも多く、こうしたユーザーによってＲＡＷ形式が支持されている。
【０００５】
特許文献１には、ＲＡＷデータに基づいてプリントを行うプリントシステムが記載されている。このプリントシステムでは、１コマのＲＡＷデータに対して、各画像処理項目毎に、それらの処理条件を決める複数のパラメータでデジタル現像処理を実行して、パラメータが異なる複数のサンプル画像を縮小画像でディスプレイに表示し、表示された複数のサンプル画像からコマを選択させることにより、所望のパラメータをユーザーが指定できるようにしている。こうしたパラメータ指定を、各画像処理項目毎に行って、ユーザー好みの仕上がりの画像が簡単に得られるようにしている。
【特許文献１】特開２００２−３３０３８８号公報
【発明の開示】
【発明が解決しようとする課題】
【０００６】
しかしながら、露出とホワイトバランスなど、各画像処理項目のパラメータは、相互に影響を及ぼし合うため、現像した画像の実際の仕上がり具合は、複数の画像処理項目のパラメータの組み合わせによって決まる。そのため、上記プリントシステムのように、各画像処理項目毎に１項目ずつパラメータを変化させて、それらの複数のサンプル画像を表示させるだけでは、画像の実際の仕上がりを想定しづらく、パラメータ指定の際にユーザーが期待した仕上がりと、実際の仕上がりとが乖離しがちであった。
【０００７】
本発明は、ＲＡＷデータをプリントする際に、実際の仕上がり具合に近い現像状態を確認できるようにすることにより、画像処理項目のパラメータを指定しやすくすることを目的とする。
【課題を解決するための手段】
【０００８】
本発明のプリント注文受付装置は、画像データのプリント注文を受け付けるプリント注文受付装置において、撮像装置によって撮影されデジタル現像処理を施さずに保存された生の画像データを取り込む画像取り込み手段と、取り込んだ生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成するとともに、それら複数のサンプル画像を１画面内に配列してインデックス画像を作成する画像処理手段とを備えたことを特徴とする。
【０００９】
前記画像処理項目には、露出調整、ホワイトバランス調整及び色味調整のうちの少なくとも２つが含まれることが好ましい。
【００１０】
前記複数のサンプル画像は、縦横のマトリックスで配列されており、縦軸及び横軸の一方で前記露出調整のパラメータを変化させ、他方で前記ホワイトバランスのパラメータを変化させたことが好ましい。
【００１１】
前記インデックス画像には、前記各サンプル画像毎に、前記処理条件を表す情報が表示されることが好ましい。
【００１２】
前記インデックス画像を表示するディスプレイを備えていることが好ましい。また、前記インデックス画像を記録紙にプリントするインデックス用プリンタを備えていることが好ましい。
【００１３】
再プリント注文に備えて、前記複数のサンプル画像を保存するデータストレージデバイスを設けることが好ましい。
【００１４】
前記画像処理手段は、前記画像処理を実行する前に、取り込まれた前記生の画像データのファイルフォーマットを所定のファイルフォーマットに変換するフォーマット変換部を備えていることが好ましい。
【００１５】
本発明のプリント注文受付方法は、画像データのプリント注文を受け付けるプリント注文受付方法において、撮像装置によって撮影されデジタル現像処理を施さずに保存された生の画像データを取り込むデータ取り込みステップと、取り込まれた前記生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成し、それら複数のサンプル画像を１画面内に配列してインデックス画像を作成するインデックス画像作成ステップと、前記複数のサンプル画像の中から、顧客に所望のサンプル画像を選択させることにより、選択されたサンプル画像に対応するパラメータの指定を受け付けるパラメータ受付ステップとを含むことを特徴とする。
【００１６】
本発明のインデックス画像作成装置は、複数の画像を１画面内に配列したインデックス画像を作成するインデックス画像作成装置において、撮像装置によって撮影されデジタル現像処理を施さずに保存された生の画像データを取り込む画像取り込み手段と、取り込んだ生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成するとともに、それら複数のサンプル画像を１画面内に配列してインデックス画像を作成する画像処理手段とを備えたことを特徴とする。
【００１７】
本発明のインデックス画像作成方法は、複数の画像を１画面内に配列したインデックス画像を作成するインデックス画像作成方法において、撮像装置によって撮影されデジタル現像処理を施さずに保存された生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成し、それら複数のサンプル画像を１画面内に配列してインデックス画像を作成することを特徴とする。
【発明の効果】
【００１８】
本発明は、撮像装置によって撮影されデジタル現像処理を施さずに保存された生の画像データに対して、前記デジタル現像処理に含まれる複数の画像処理項目についてそれぞれ異なる複数の処理条件で画像処理を施すことにより、前記処理条件を変化させて現像したときの仕上がりを確認するための複数のサンプル画像を生成し、それら複数のサンプル画像を１画面内に配列してインデックス画像を作成するようにしたから、ＲＡＷデータをプリントする際に、実際の仕上がり具合に近い現像状態を確認できるようにすることにより、画像処理項目のパラメータを指定しやすくすることができる。
【発明を実施するための最良の形態】
【００１９】
図１に示すプリント注文受付装置１０は、デジタルスチルカメラで撮影されデジタルな画像データとして記録されたコマ画像のプリント注文を受け付ける。このプリント注文受付装置１０は、例えば、写真プリントサービスを提供するプリントサービス店１１に設置され、オペレータによって操作される。画像データは、例えば、メモリーカード１３などの記憶媒体に格納されて、顧客１２によってプリントサービス店１１に持ち込まれる。プリント注文受付装置１０は、ＥＸＩＦ形式で保存された画像データに加えて、ＲＡＷ形式で保存されたＲＡＷデータのプリント注文にも対応している。
【００２０】
ＲＡＷデータのプリント注文を受け付けた場合には、プリント注文受付装置１０によってパラメータインデックスプリント１６が作成され、これが顧客１２に提供される。パラメータインデックスプリント１６は、ＲＡＷデータに対して施すデジタル現像処理のパラメータを顧客１２が指定しやすいように、異なる複数のパラメータによって現像された複数のサンプル画像を１画面に配列したインデックス画像を作成し、これを記録紙にプリントしたものであり、ラウンドプリントなどとも呼ばれる。各サンプル画像は、それぞれパラメータを変化させて現像されており、顧客１２は、これらのサンプル画像を通じて好みの仕上がり具合を探し出すことができる。そして、所望のサンプル画像を選択することにより、前記パラメータが指定される。こうして指定されたパラメータでＲＡＷデータを現像した１コマが、印画紙に焼き付けられて、本プリント１７として顧客１２に提供される。
【００２１】
プリント注文受付装置１０は、システムコントローラ２１，カードリーダ２２，画像処理部２３，ストレージデバイス２４，ネットワークインタフェース２６，コンソール２７，インデックス用プリンタ３１、記録型メディアドライブ３２からなる。コンソール２７は、ディスプレイ２８と、操作部２９からなる。システムコントローラ２１は、ＣＰＵ，ＲＯＭ，ＲＡＭなどから構成されており、操作部２９からの指示に基づいて、プリント注文受付装置１０の各部を統括的に制御する。操作部２９は、マウスやキーボードなどからなり、システムコントローラ２１に対して操作コマンドを入力する入力デバイスである。ディスプレイ２８は、操作画面や取り込まれた画像を表示する。なお、操作部とディスプレイとを兼用するタッチパネル式のディスプレイを使用してもよい。カードリーダ２２は、メモリーカード１３にアクセスしてＥＸＩＦ形式やＲＡＷ形式で保存された画像データの読み取りを行う。
【００２２】
画像処理部２３は、読み取ったＲＡＷデータに基づいてパラメータインデックス画像を作成する。画像処理部２３は、フォーマット変換部２３ａと、デジタル現像処理部２３ｂと、インデックス画像作成部２３ｃを備えている。ＲＡＷ形式は、ＥＸＩＦ形式のようにファイルフォーマットがカメラメーカー間で統一されていないため、異なる各種のファイルフォーマットが存在する。フォーマット変換部２３ａは、こうした各種のファイルフォーマットを、所定のファイルフォーマットに変換して、変換後のＲＡＷデータをデジタル現像処理部２３ｂに引き渡す。このように、フォーマット変換部２３ａを設けることで、例えば、既存のファイルフォーマットの変更や、新たなファイルフォーマットが追加された場合に、デジタル現像処理部２３ｂを変更することなく、柔軟に対応することが可能となる。
【００２３】
デジタル現像処理部２３ｂは、１コマのＲＡＷデータに対して、異なる複数のパラメータに基づいてデジタル現像処理を実行して、各パラメータ毎に現像の仕上がり具合を確認するための複数のサンプル画像を生成する。デジタル現像処理に含まれる画像処理には、ホワイトバランス調整、露出調整などの画像処理項目が含まれている。画像処理部２３は、これら各画像処理項目毎に、例えば、パラメータを段階的に変化させ、１コマのＲＡＷデータに対して、異なる複数のパラメータでデジタル現像処理を施す。こうして、各パラメータ毎のサンプル画像が生成される。これら複数のサンプル画像は、インデックス画像作成部２３ｃに引き渡される。インデックス画像作成部２３ｃは、生成された各サンプル画像に対して、リサイズ処理を施して画像サイズを縮小し、縮小した複数のサンプル画像を１画面に配列してパラメータインデックス画像を作成する。
【００２４】
データストレージデバイス２４は、例えば、ハードディスクドライブであり、オペレーティングシステムや各種のプログラムが記憶されるとともに、カードリーダ２２によって取り込まれた画像データを蓄積するために使用される。また、データストレージデバイス２４には、画像処理部２３が参照する上記パラメータデータを記憶するパラメータ記憶領域３４や、リサイズ処理が実行される前のサンプル画像を保存するサンプル画像保存領域３６が設定されている。
【００２５】
インデックス用プリンタ３１は、画像処理部２３によって生成されたパラメータインデックス画像を記録紙にプリントして、パラメータインデックスプリント１６を作成する。インデックス用プリンタ３１としては、例えば、記録紙にインクを噴射して画像を記録するインクジェットプリンタや、感光ドラムにレーザー光を照射して静電潜像を形成し、この感光ドラムに付着させたトナーを用紙に転写するレーザープリンタなどが使用される。パラメータインデックスプリント１６のサイズは、標準的なＬサイズでもよいし、Ａ４サイズのいわゆるラージインデックスサイズでもよい。
【００２６】
ネットワークインタフェース２６は、本プリント１７を作成する写真プリンタ３７とデータ通信可能に接続するための通信インタフェースであり、このネットワークインタフェース２６を経由して、プリント指定された各コマの画像データが写真プリンタ３７へ転送される。写真プリンタ３７は、プリント指定されたコマの画像データに基づいて、印画紙にレーザー光を照射して潜像を形成した後、現像処理を施すことにより高精細な写真プリントを出力する。
【００２７】
写真プリンタ３７には、顧客１２によって指定されたパラメータでデジタル現像処理が施された画像データが転送される。写真プリンタ３７は、ＲＡＷ形式に対応していないのが一般的であるため、従来はＲＡＷ形式のプリント注文を受付にくかった。プリント注文受付装置１０でデジタル現像処理を施して、これを写真プリンタ３７に転送するようにしたので、既存の写真プリンタ３７をそのまま利用することが可能になる。
【００２８】
また、写真プリンタ３７に転送される画像データとしては、パラメータインデックス画像を作成する際に生成され、サンプル画像保存領域３６に保存されたサンプル画像データが使用される。サンプル画像保存領域３６には、デジタル現像処理が施された後、リサイズ処理が施される前のサンプル画像データが保存されているので、これを使用すれば、新たにデジタル現像処理をせずに済むので、本プリント１７の作成に要する処理時間が短縮される。また、このサンプル画像データを所定の期間保存しておき、再プリント注文の際にはこれを利用するようにすれば、再プリント処理を迅速に行うことができる。
【００２９】
記録型メディアドライブ３２は、例えば、ＣＤ（コンパクトディスク）などのデータ記録メディアにアクセスして画像データの書き込みを行う。プリントサービス店１１は、プリントサービスの他に、画像データの記録メディアへの書き込みサービスを提供する。記録型メディアドライブ３２は、こうしたサービスを行うために使用され、この記録型メディアドライブ３２によって、指定された画像データが記録メディアに書き込まれて、いわゆるフォトＣＤが作成される。
【００３０】
図２は、パラメータインデックスプリント１６の１例を示す。このパラメータインデックスプリント１６は、デジタル現像処理を行う際の画像処理項目のうち、露出調整と、ホワイトバランス調整の２つの項目のそれぞれのパラメータを変化させた複数のサンプル画像４１を配列したものである。各サンプル画像４１は、例えば、６行６列のマトリックスで配列されており、縦軸に露出調整の露出パラメータが設定され、横軸にホワイトバランス調整のパラメータとなる異なる複数の光源パラメータが設定される。
【００３１】
露出パラメータは、例えば、撮影時に設定された値を基準として、プラス方向とマイナス方向に、１／２ＥＶずつ変化させている。光源パラメータは、撮影時に設定された光源の他に、白熱電球、蛍光灯、晴天、曇天、日陰の各光源で撮影した場合に最適なそれぞれの色温度が設定される。各サンプル画像４１の近傍には、それらに対応するパラメータの値（「＋１／２ＥＶ」，「−１ＥＶ」など）や、種類（「白熱電球」、「蛍光灯」など）が表示される。
【００３２】
こうして２つの画像処理項目のパラメータを縦横に配して、それぞれのパラメータを変化させたときのサンプル画像４１をマトリックスに配列することにより、２つのパラメータの組み合わせを変化させたときの画像の仕上がり具合を一覧することができる。これにより、従来のように１つのパラメータだけを変化させて画像の仕上がり具合を確認する場合と比べて、より実際の仕上がりに近い画像を確認することができる。このため、パラメータを指定する際に期待した仕上がりと、実際の仕上がりとの乖離が少なくなる。
【００３３】
パラメータの指定は、パラメータインデックスプリント１６の中から、顧客１２が好むサンプル画像４１を選択し、これをオペレータに告げることにより行われる。例えば、コンソール２７のディスプレイ２８には、パラメータインデックスプリント１６のインデックス画像と同じ画像が表示される。オペレータは、顧客１２によって指定されたサンプル画像を、ディスプレイ２８の画面上で確認して、対応するコマを指定することにより、指定されたパラメータをプリント注文受付装置１０に入力する。
【００３４】
本例では、露出パラメータを変化させる間隔を１／２ＥＶとしているが、１／３ＥＶずつ変化させるなど適宜変更が可能である。また、光源パラメータの種類を、上記５種類としているが、これ以外にも、例えば、ストロボ光など適宜追加変更してもよい。こうしたパラメータを変化させる間隔や種類は、予め設定しておいてもよいし、コンソール２７から設定や変更ができるようにしてもよい。
【００３５】
以下、上記構成による作用について図３のフローチャートを参照しながら説明する。ＲＡＷデータのプリント注文を受け付けると、オペレータは、顧客１２が持ち込んだメモリーカード１３をカードリーダ２２にセットして、ＲＡＷデータを読み出して、プリント注文受付装置１０に取り込む。プリント注文受付装置１０は、ＲＡＷデータに基づいてパラメータインデックス画像を生成し、インデックス用プリンタ３１によってパラメータインデックスプリント１６を作成する。
【００３６】
このパラメータインデックスプリント１６が顧客１２に提供される。顧客１２は、パラメータインデックスプリント１６を見ながら、好みの仕上がりのサンプル画像４１があれば、それを選択して、パラメータを指定する。好みの仕上がりのサンプル画像４１が無い場合には、パラメータを変更して、再度パラメータインデックスプリント１６が作成され、これが顧客１２に提供される。好みの仕上がりのサンプル画像４１が見つかるまで、こうした処理が繰り返される。こうしてパラメータが指定されると、指定されたパラメータでデジタル現像処理が施された画像データが、写真プリンタ３７に転送されて、本プリント１７が作成されて、これが顧客１２に提供される。
【００３７】
図４及び図５は、パラメータインデックスプリントの別の形態を示す例である。図４に示すパラメータインデックスプリント５１では、上方に、ホワイトバランス及び露出調整のパラメータが撮影時の設定で現像されたサンプル画像５２が配置される。このサンプル画像５２は、他のコマよりもサイズを大きくしている。
【００３８】
このサンプル画像５２の下方には、まず、光源パラメータを変化させた複数のサンプル画像５３が配置される。さらに、下方には、６行７列のマトリックスで配列された複数のサンプル画像５４が配置される。このマトリックスでは、縦軸に露出（増減感）パラメータが設定され、横軸に色温度パラメータが設定される。色温度パラメータは、撮影時の設定を基準に、プラス方向及びマイナス方向のそれぞれに、例えば、１０ミレッド間隔で段階的に変化させている。
【００３９】
図５に示すパラメータインデックスプリント５６では、画像処理項目として、露出調整及びホワイトバランス調整に加えて、色味調整が含まれている。このパラメータインデックスプリント５６は、パラメータインデックスプリント５１と同様に、上方に、撮影時のパラメータで現像したサンプル画像５７を配置し、その下に、露出（増減感）パラメータを変化させた複数のサンプル画像５８を横方向に並べて配置している。この下方には、光源パラメータを変更した複数のサンプル画像５９を横方向に並べて配置される。さらに、その下方には、色味調整のパラメータを変化させた複数のサンプル画像６１が配置される。
【００４０】
色味調整のパラメータは、まず、撮影時の設定のサンプル画像（ハッチングで示す）を中心に配置し、この中心を基準として、上方向に、Ｙ（イエロー）、下方向に、Ｙの補色となるＢ（ブルー）を対置させ、中心から離れるにつれて、Ｙ又はＢの色味が強くなるようにパラメータを変化させている。そして、中心を通る２つの対角上に、互いに補色関係にある、Ｇ（グリーン）及びＭ（マゼンタ）、Ｒ（レッド）及びＣ（シアン）の各色を配置し、中心から離れるにつれて、補色関係にある２色のいずれかの色味が強くなるようにパラメータを変化させている。
【００４１】
このように、パラメータインデックスプリントに含まれる、画像処理項目や、各画像処理項目毎のパラメータの値及び種類や、サンプル画像の並べ方などは、各種の形態が考えられ、適宜変更することが可能である。もちろん、こうした形態が異なる複数のパラメータインデックスプリントを顧客に提供して、それら複数のパラメータインデックスプリントを通じてパラメータを指定できるようにしてもよい。
【００４２】
また、上記例では、プリントサービス店などに設置されるプリント注文受付装置を例に説明したが、図６に示すプリント注文受付サーバ７１のように、プリント注文受付装置を、インターネット７２などの通信ネットワークに接続可能な形態で構成し、顧客のＰＣ（パーソナルコンピュータ）７３からのプリント注文を受付るようにしてもよい。
【００４３】
この場合には、インターネット７２のウエブ上にプリント注文受付サイトが開設され、顧客のＰＣ７３がこのプリント注文受付サイトにアクセスすることによりプリント注文がなされる。プリント注文受付サーバ７１には、上述のプリント注文受付装置１０と同様の画像処理部やデータストレージデバイスが設けられており、顧客のＰＣ７３からアップロードされたＲＡＷデータを受信して、プリント注文を受け付けると、このＲＡＷデータに基づいてパラメータインデックス画像を作成する。作成されたパラメータインデックス画像は、インターネット７２を通じて、ＰＣ７３へ配信される。顧客は、ＰＣ７３のモニタ上でこのパラメータインデックス画像を閲覧して、所望のサンプル画像を選択してパラメータを指定する。このパラメータ指定情報が、プリント注文受付サーバ７１へ送信されると、プリント注文の受付が完了する。受付完了後、指定されたパラメータで画像処理が施された画像データが写真プリンタへ送られて本プリント１７が作成され、後日顧客へ提供される。
【００４４】
また、上記例では、パラメータインデックス画像を作成するインデックス画像作成機能を持つプリント注文受付装置を例に説明したが、プリント注文受付機能を持たないインデックス画像作成専用の装置に本発明を適用してもよい。また、本発明の範囲には、パラメータインデックス画像を作成するインデックス画像作成機能やこれを用いたプリント注文受付機能をコンピュータに実行させるプログラムの形態で実現する場合も含まれることはもちろんである。
【図面の簡単な説明】
【００４５】
【図１】プリント注文受付装置の構成図である。
【図２】パラメータインデックスプリントの説明図である。
【図３】プリント注文受付手順を示すフローチャートである。
【図４】パラメータインデックスプリントの別の例である。
【図５】パラメータインデックスプリントのさらに別の例である。
【図６】ネットワークを通じたプリント注文受付の説明図である。
【符号の説明】
【００４６】
１０  プリント注文受付装置
１１  プリントサービス店
１２  顧客
１３  メモリーカード
１６，５１，５６  パラメータインデックスプリント
２３  画像処理部
２３ａ  フォーマット変換部
２３ｂ  デジタル現像処理部
２３ｃ  インデックス画像作成部
２４  データストレージデバイス
２７  コンソール
２８  ディスプレイ
２９  操作部
３１  インデックス用プリンタ
【図１】
2007096904.tif 000003
【図２】
2007096904.tif 000004
【図３】
2007096904.tif 000005
【図４】
2007096904.tif 000006
【図５】
2007096904.tif 000007
【図６】
2007096904.tif 000008